(57)【要約】      （修正有）【課題】光源から出力される光を効率よく利用することが可能な画像投写システムを提供する。【解決手段】画像投写システム１は、光源１０と、光源から出力される光を用いて画像を投写する複数の投写出力手段３０と、複数の投写出力手段の各々に対応して設けられ、投写出力手段が設置された投写場所の照度を検出する複数の照度検出手段４０と、対応して設けられた照度検出手段により検出された照度に基づいて、光源から投写出力手段に出力する光量を制御する制御装置５０と、を有する。【選択図】図１
2018011248.tif 000002
【特許請求の範囲】
【請求項１】
光源と、
前記光源から出力される光を用いて画像を投写する複数の投写出力手段と、
前記複数の投写出力手段の各々に対応して設けられ、前記投写出力手段が設置された投写場所の照度を検出する複数の照度検出手段と、
対応して設けられた前記照度検出手段により検出された照度に基づいて、前記光源から前記投写出力手段に出力する光量を制御する制御手段と、
を有することを特徴とする画像投写システム。
【請求項２】
前記制御手段は、前記投写出力手段が画像を投写しているときの前記照度検出手段により検出される照度に基づいて、前記光源から前記投写出力手段に出力する光量を制御することを特徴とする請求項１に記載の画像投写システム。
【請求項３】
前記制御手段は、前記光源の最大光量を超えないように前記光源から前記複数の投写出力手段に出力する光量を制御することを特徴とする請求項１又は２に記載の画像投写システム。
【請求項４】
前記制御手段は、前記光源から、前記複数の投写出力手段のうちの少なくとも１つの前記投写出力手段に光を出力する場合、前記複数の投写出力手段が設置されたすべての投写場所における照度の合計が、前記光源の最大光量を超えないように前記光源から前記複数の投写出力手段に出力する光量を制御することを特徴とする請求項１乃至３のいずれか一項に記載の画像投写システム。
【請求項５】
前記光源から出力される光を前記複数の投写出力手段に伝送する光伝送手段を更に有することを特徴とする請求項１乃至４のいずれか一項に記載の画像投写システム。
【発明の詳細な説明】
【技術分野】
【０００１】
本発明は、画像投写システムに関する。
【背景技術】
【０００２】
光源に複数の投写出力手段を接続し、光源から出力される光を用いて複数の投写出力手段からそれぞれ画像を投写する画像投写システムが知られている（例えば、特許文献１参照）。
【発明の概要】
【発明が解決しようとする課題】
【０００３】
しかしながら、上記の画像投写システムでは、複数の投写出力手段により投写される画像の各々の明るさを個別に制御することができない。このため、複数の投写出力手段により投写される画像の明るさを制御する際、複数の投写出力手段のうちの最も明るさが必要とされる投写出力手段に所定の出力の光が供給されるように光源の出力が制御される。その結果、複数の投写出力手段の各々から異なる明るさの画像を投写する場合、光源から出力される光を効率よく利用できない。
【０００４】
そこで、上記課題を鑑み、光源から出力される光を効率よく利用することが可能な画像投写システムを提供することを目的とする。
【課題を解決するための手段】
【０００５】
上記目的を達成するため、本発明の一態様に係る画像投写システムは、光源と、前記光源から出力される光を用いて画像を投写する複数の投写出力手段と、前記複数の投写出力手段の各々に対応して設けられ、前記投写出力手段が設置された投写場所の照度を検出する複数の照度検出手段と、対応して設けられた前記照度検出手段により検出された照度に基づいて、前記光源から前記投写出力手段に出力する光量を制御する制御手段と、を有することを特徴とする。
【発明の効果】
【０００６】
開示の技術によれば、光源から出力される光を効率よく利用することができる。
【図面の簡単な説明】
【０００７】
【図１】一実施形態に係る画像投写システムの全体構成の一例を示す図
【図２】第１の実施形態に係る制御装置の機能構成図
【図３】光量算出テーブルの一例を示す図
【図４】第１の実施形態に係る画像投写処理の一例を説明するためのフローチャート
【図５】第２の実施形態に係る制御装置の機能構成図
【図６】第２の実施形態に係る画像投写処理の一例を説明するためのフローチャート
【図７】第３の実施形態に係る制御装置の機能構成図
【図８】投写場所と照度と出力光量との関係の一例を示す図
【図９】第３の実施形態に係る画像投写処理の一例を説明するためのフローチャート
【図１０】第４の実施形態に係る画像投写処理の一例を説明するためのフローチャート
【発明を実施するための形態】
【０００８】
以下、本発明の実施形態について添付の図面を参照しながら説明する。なお、本明細書及び図面において、実質的に同一の構成については、同一の符号を付することにより重複した説明を省く。
【０００９】
（画像投写システム）
本発明の一実施形態に係る画像投写システムについて説明する。図１は、一実施形態に係る画像投写システムの全体構成の一例を示す図である。
【００１０】
図１に示されるように、画像投写システム１は、光源１０と、光伝送ケーブル２０と、複数の投写装置３０（３０ａ、３０ｂ、３０ｃ）と、複数の照度センサ４０（４０ａ、４０ｂ、４０ｃ）と、制御装置５０とを有する。複数の投写装置３０は、光伝送ケーブル２０により光源１０と接続されている。また、光源１０、複数の投写装置３０及び複数の照度センサ４０は、通信ケーブル６０により制御装置５０と接続されている。通信ケーブル６０は、例えばＵＳＢケーブル、シリアルケーブル、ＬＡＮケーブル等の有線ケーブルであってもよく、無線ＬＡＮ通信網等であってもよい。
【００１１】
光源１０は、例えば半導体レーザにより形成されており、光伝送ケーブル２０を介して複数の投写装置３０の各々へ所定の光量のレーザ光を出力する。例えば、光源１０が出力可能な最大光量（以下「最大光量」という。）が１５０００ルーメン（ｌｍ）である場合、光源１０は、最大光量である１５０００ｌｍを超えない範囲内で複数の投写装置３０の各々に所定の光量の光を出力する。このとき、各投写装置３０に出力される光は、同一の光量とすることもでき、異なる光量とすることもできる。具体的には、光源１０は、光量が５０００ｌｍの光を投写装置３０ａへ出力し、光量が５０００ｌｍの光を投写装置３０ｂへ出力し、光量が５０００ｌｍの光を投写装置３０ｃへ出力する。また、光源１０は、光量が７０００ｌｍの光を投写装置３０ａへ出力し、光量が４０００ｌｍの光を投写装置３０ｂへ出力し、光量が４０００ｌｍの光を投写装置３０ｃへ出力する。光源１０により各投写装置３０に出力される所定の光量は、制御装置５０により制御される。
【００１２】
光伝送ケーブル２０は、光源１０と複数の投写装置３０とを接続する。光伝送ケーブル２０は、光源１０から出力されるレーザ光を複数の投写装置３０の各々へ伝送する。一実施形態では、光伝送ケーブル２０は、光源１０から出力されるレーザ光を投写装置３０ａ、３０ｂ、３０ｃへ伝送する。光伝送ケーブル２０は、例えば光ファイバにより形成されている。
【００１３】
投写装置３０は、光変調素子と投写レンズ系とを有する。投写装置３０は、光変調素子及び投写レンズ系により、光源１０から出力された光を画像に変換し、大型スクリーン等に投写する。投写装置３０の光変調素子及び投写レンズ系は、制御装置５０により制御される。一実施形態では、投写装置３０ａ、３０ｂ、３０ｃが、それぞれ投写場所ａ、ｂ、ｃに設置されている。また、本明細書において、画像とは、静止画、文字、映像等を含む。
【００１４】
照度センサ４０は、投写装置３０が設置されている投写場所に対応して設けられており、投写装置３０が設置されている投写場所の照度を検出する。一実施形態では、３つの照度センサ４０ａ、４０ｂ、４０ｃが、それぞれ投写装置３０ａ、３０ｂ、３０ｃが設置されている投写場所ａ、ｂ、ｃにおける画像が投写される領域の近傍に設けられている。照度センサ４０ａは、投写装置３０ａが設置されている投写場所ａの照度を検出する。照度センサ４０ｂは、投写装置３０ｂが設置されている投写場所ｂの照度を検出する。照度センサ４０ｃは、投写装置３０ｃが設置されている投写場所ｃの照度を検出する。
【００１５】
制御装置５０は、ＣＰＵ（Central Processing Unit）、ＲＯＭ（Read Only Memory）、ＲＡＭ（Random Access Memory）、フラッシュメモリ、ハードディスク等により構成されている。制御装置５０は、光源１０及び投写装置３０と接続されており、光源１０及び投写装置３０を制御する。また、制御装置５０は、照度センサ４０と接続されており、照度センサ４０が検出した照度データを取得する。
【００１６】
なお、上記の実施形態では、投写装置３０及び照度センサ４０が３つである場合を例に挙げて説明したが、これに限定されるものではなく、投写装置３０及び照度センサ４０の数量は２つ以上であればよい。
【００１７】
〔第１の実施形態〕
（制御装置）
第１の実施形態に係る制御装置５０Ａの機能構成の一例について説明する。図２は、第１の実施形態に係る制御装置の機能構成図である。
【００１８】
図２に示されるように、制御装置５０Ａは、照度取得部５１と、光量算出部５２と、光源制御部５３と、記憶部５４とを有し、これらの機能はＣＰＵ、ＲＯＭ、ＲＡＭ、フラッシュメモリ、ハードディスク等により実現され得る。
【００１９】
照度取得部５１は、照度センサ４０が検出する照度データを取得する。照度データは、例えば照度であってもよく、照度に対応して変化する電流や電圧であってもよい。一実施形態では、照度取得部５１は、照度センサ４０ａが検出する照度データ、照度センサ４０ｂが検出する照度データ及び照度センサ４０ｃが検出する照度データを取得する。
【００２０】
光量算出部５２は、照度取得部５１が取得した照度データに基づいて、光源１０から各投写装置３０に出力する最適な光量を算出する。一実施形態では、光量算出部５２は、照度取得部５１が取得した照度センサ４０ａの照度データに基づいて、光源１０が投写装置３０ａに出力する最適な光量を算出する。また、光量算出部５２は、照度取得部５１が取得した照度センサ４０ｂの照度データに基づいて、光源１０が投写装置３０ｂに出力する最適な光量を算出する。また、光量算出部５２は、照度取得部５１が取得した照度センサ４０ｃの照度データに基づいて、光源１０が投写装置３０ｃに出力する最適な光量を算出する。
【００２１】
具体的には、例えば光量算出部５２は、照度取得部５１が取得した照度データと、記憶部５４に記憶された光量算出テーブルとに基づいて、光源１０が各投写装置３０に出力する最適な光量を算出する。
【００２２】
図３は、光量算出テーブルの一例を示す図である。図３に示されるように、光量算出テーブルは、照度（ルクス：ｌｘ）と、画像の明るさ（ｌｍ）と、光源１０が出力する光量（ｌｍ）とが対応付けられている。具体的には、例えば照度センサ４０に検出された照度が５００ｌｘである場合、光量算出テーブルの照度（ｌｘ）欄の「４００ｌｘ〜６２４ｌｘ」の範囲に含まれる。よって、光量算出部５２は、画像が５０００ｌｍの明るさとなるように光源１０が出力する光量を５５００ｌｍに制御する。また、例えば照度センサ４０に検出された照度が２００ｌｘの場合、光量算出テーブルの照度（ｌｘ）欄の「１５０ｌｘ〜２４９ｌｘ」の範囲に含まれる。よって、光量算出部５２は、画像が３０００ｌｍの明るさになるように光源１０が出力する光量を３３００ｌｍに制御する。なお、画像の明るさと光源１０が出力する光量とが異なっているのは、光伝送ケーブル２０及び投写装置３０における光量の減衰を考慮しているためである。光伝送ケーブル２０及び投写装置３０における光量の減衰がない場合には、画像の明るさと光源１０が出力する光量とが同一となるので、照度（ｌｘ）と光源１０が出力する光量（ｌｍ）とが対応付けられている光量算出テーブルであってもよい。
【００２３】
光源制御部５３は、光量算出部５２により算出された各投写装置３０ごとの最適な光量が出力されるように光源１０を制御する。一実施形態では、光源制御部５３は、光量算出部５２により算出された投写装置３０ａに出力する最適な光量が出力されるように光源１０を制御する。また、光源制御部５３は、光量算出部５２により算出された投写装置３０ｂに出力する最適な光量が出力されるように光源１０を制御する。また、光源制御部５３は、光量算出部５２により算出された投写装置３０ｃに出力する最適な光量が出力されるように光源１０を制御する。
【００２４】
記憶部５４は、光量算出テーブル、光源１０の最大光量等を記憶する。
【００２５】
このように、投写装置３０が設置される投写場所の照度に応じて光源１０が出力する光量を制御することができるので、光源１０から出力される光を効率よく利用することができる。
【００２６】
（画像投写処理）
第１の実施形態に係る画像投写処理について説明する。図４は、第１の実施形態に係る画像投写処理の一例を説明するためのフローチャートである。以下では、投写場所ａにおいて画像を投写する場合を例に挙げて説明するが、投写場所ｂ及び投写場所ｃにおいて画像を投写する場合についても同様の処理を行うことができる。
【００２７】
最初に、照度取得部５１は、投写装置３０ａから光の供給の指示を受け付けると、照度センサ４０ａが検出した照度データを取得する（ステップＳ１１）。光の供給の指示は、例えば投写装置３０ａを使用するユーザにより行われる。
【００２８】
続いて、光量算出部５２は、照度取得部５１が取得した照度データに基づいて、光源１０から投写装置３０ａに出力する最適な光量を算出する（ステップＳ１２）。具体的には、光量算出部５２は、例えば照度取得部５１が取得した照度データと、記憶部５４に記憶された光量算出テーブルとに基づいて、光源１０が投写装置３０ａに出力する最適な光量を算出する。
【００２９】
続いて、光源制御部５３は、光量算出部５２により算出された投写装置３０ａに出力する最適な光量が出力されるように光源１０を制御する（ステップＳ１３）。
【００３０】
以上により、画像投写処理が終了する。
【００３１】
このように、第１の実施形態では、投写装置３０ａが設置される投写場所の照度に応じて光源１０が出力する光量が制御されるので、光源１０から出力される光を効率よく利用することができる。
【００３２】
〔第２の実施形態〕
（制御装置）
第２の実施形態に係る制御装置５０Ｂの機能構成の一例について説明する。図５は、第２の実施形態に係る制御装置の機能構成図である。
【００３３】
図５に示されるように、制御装置５０Ｂは、投写制御部５５を有する点で、第１の実施形態に係る制御装置５０Ａと異なる。即ち、制御装置５０Ｂは、照度取得部５１と、光量算出部５２と、光源制御部５３と、記憶部５４と、投写制御部５５とを有し、これらの機能はＣＰＵ、ＲＯＭ、ＲＡＭ、フラッシュメモリ、ハードディスク等により実現され得る。
【００３４】
照度取得部５１、光量算出部５２、光源制御部５３及び記憶部５４は、第１の実施形態と同様であるため説明を省略する。
【００３５】
投写制御部５５は、光源１０の光量の制御を開始してから所定の時間が経過したか否かを判定し、所定の時間が経過している場合、投写装置３０がオフしていないか否かを判定する。
【００３６】
（画像投写処理）
第２の実施形態に係る画像投写処理について説明する。図６は、第２の実施形態に係る画像投写処理の一例を説明するためのフローチャートである。以下では、投写場所ａにおいて画像を投写する場合を例に挙げて説明するが、投写場所ｂ及び投写場所ｃにおいて画像を投写する場合についても同様の処理を行うことができる。
【００３７】
最初に、照度取得部５１は、投写装置３０ａから光の供給の指示を受け付けると、照度センサ４０ａが検出した照度データを取得する（ステップＳ２１）。光の供給の指示は、例えば投写装置３０ａを使用するユーザにより行われる。
【００３８】
続いて、光量算出部５２は、照度取得部５１が取得した照度データに基づいて、光源１０から投写装置３０ａに出力する最適な光量を算出する（ステップＳ２２）。具体的には、光量算出部５２は、例えば照度取得部５１が取得した照度データと、記憶部５４に記憶された光量算出テーブルとに基づいて、光源１０が投写装置３０ａに出力する最適な光量を算出する。
【００３９】
続いて、光源制御部５３は、光量算出部５２により算出された投写装置３０ａに出力する最適な光量が出力されるように光源１０を制御する（ステップＳ２３）。
【００４０】
続いて、投写制御部５５は、光源１０の光量の制御を開始してから所定の時間が経過しているか否かを判定する（ステップＳ２４）。
【００４１】
ステップＳ２４において、所定の時間が経過していないと判定した場合、ステップＳ２４を繰り返す。ステップＳ２４において、所定の時間が経過したと判定した場合、投写制御部５５は、投写装置３０ａがオフしているか否かを判定する（ステップＳ２５）。
【００４２】
ステップＳ２５において、投写装置３０ａがオフしていると判定された場合、処理を終了する。ステップＳ２５において、投写装置３０ａがオフしていないと判定された場合、ステップＳ２１へ戻り、再度、照度センサ４０ａが検出する照度に基づいて、投写装置３０ａに出力する光量が最適な光量となるように光源１０が制御される。
【００４３】
このように、第２の実施形態では、投写装置３０がオンしている期間中、照度センサ４０が検出する照度に基づいて、投写装置３０に出力する光量が最適な光量となるように光源１０が制御される。これにより、投写場所の照度が変わった場合であっても、投写場所の照度の変化に応じて光源１０が出力する光量が制御されるので、光源１０から出力される光を第１の実施形態に係る画像処理システムよりも効率的に利用することができる。
【００４４】
なお、上記の実施形態では、投写制御部５５は所定の時間ごとに投写装置３０がオフしているか否かを判定する場合を例に挙げて説明したが、これに限定されない。例えば、投写制御部５５は、投写装置３０が画像を投写している状態からミュートに変更されたか否かを判定してもよく、投写装置３０に画像信号が入力されているか否かを判定してもよい。
【００４５】
〔第３の実施形態〕
（制御装置）
第３の実施形態に係る制御装置５０Ｃの機能構成の一例について説明する。図７は、第３の実施形態に係る制御装置の機能構成図である。
【００４６】
図７に示されるように、制御装置５０Ｃは、光量判定部５６を有する点で、第１の実施形態に係る制御装置５０Ａと異なる。即ち、制御装置５０Ｃは、照度取得部５１と、光量算出部５２と、光源制御部５３と、記憶部５４と、光量判定部５６とを有し、これらの機能はＣＰＵ、ＲＯＭ、ＲＡＭ、フラッシュメモリ、ハードディスク等により実現され得る。
【００４７】
照度取得部５１、光量算出部５２、光源制御部５３及び記憶部５４は、第１の実施形態と同様であるため説明を省略する。
【００４８】
光量判定部５６は、各投写装置３０に出力する光量の合計（以下「全光量」という。）が、記憶部５４に記憶された光源１０の最大光量以下であるか否かを判定する。
【００４９】
具体的には、例えば光源１０の最大光量が１５０００ｌｍ、投写場所ａ、ｂ、ｃの照度がそれぞれ４００ｌｘ、５００ｌｘ、６００ｌｘである場合、光量算出テーブル（図３）に基づいて算出される最適な光量はいずれも５５００ｌｍである。よって、全光量は、１６５００ｌｍとなり、光源１０の最大光量である１５０００ｌｍよりも大きい。
【００５０】
そこで、全光量が記憶部５４に記憶された光源１０の最大光量より大きいと判定された場合、光量算出部５２は、光源１０の最大光量を投写場所ａ、ｂ、ｃの照度の比率で分配し、光源１０が投写装置３０ａ、３０ｂ、３０ｃに出力する光量を算出する。具体的には、図８に示されるように、光量算出部５２は、光源１０が投写装置３０ａ、３０ｂ、３０ｃに出力する最適な光量をそれぞれ４０００ｌｍ、５０００ｌｍ、６０００ｌｍと算出する。なお、図８は、投写場所と照度と出力光量との関係の一例を示す図である。
【００５１】
（画像投写処理）
第３の実施形態に係る画像投写処理について説明する。図９は、第３の実施形態に係る画像投写処理の一例を説明するためのフローチャートである。以下では、投写場所ａ、ｂ、ｃにおいて画像を投写する場合であって、投写場所ｂ、ｃにはすでに投写装置３０ｂ、３０ｃから画像が投写されている状態で、投写場所ａに新たに投写装置３０ａから画像を投写する場合を例に挙げて説明する。
【００５２】
最初に、照度取得部５１は、投写装置３０ａから光の供給の指示を受け付けると、照度センサ４０ａが検出した照度データを取得する（ステップＳ３１）。光の供給の指示は、例えば投写装置３０ａを使用するユーザにより行われる。
【００５３】
続いて、光量算出部５２は、照度取得部５１が取得した照度データに基づいて、光源１０から投写装置３０ａに出力する最適な光量を算出する（ステップＳ３２）。具体的には、光量算出部５２は、例えば照度取得部５１が取得した照度データと、記憶部５４に記憶された光量算出テーブルとに基づいて、光源１０が投写装置３０ａに出力する最適な光量を算出する。
【００５４】
続いて、光量判定部５６は、投写装置３０ａに出力する最適な光量と、すでに光源１０から投写装置３０ｂ、３０ｃに出力されている光量とを合計した全光量を算出する（ステップＳ３３）。
【００５５】
続いて、光量判定部５６は、ステップＳ３３で算出された全光量が記憶部５４に記憶された光源１０の最大光量以下であるか否かを判定する（ステップＳ３４）。
【００５６】
ステップＳ３４において、ステップＳ３３で算出された全光量が記憶部５４に記憶された光源１０の最大光量以下であると判定された場合、光源制御部５３は、光量算出部５２により算出された投写装置３０ａに出力する最適な光量が出力されるように光源１０を制御し（ステップＳ３５）、処理を終了する。
【００５７】
ステップＳ３４において、ステップＳ３３で算出された全光量が記憶部５４に記憶された光源１０の最大光量よりも大きいと判定された場合、光量算出部５２は、照度センサ４０ａ、４０ｂ、４０ｃが検出した照度データに基づいて、投写装置３０ａ、３０ｂ、３０ｃに出力する光量を再度算出し（ステップＳ３６）、ステップＳ３５へ進む。具体的には、前述したように、光量算出部５２は、光源１０の最大光量を投写場所ａ、ｂ、ｃの照度の比率で分配し、光源１０が投写装置３０ａ、３０ｂ、３０ｃに出力する光量を算出する。
【００５８】
このように、第３の実施形態では、光源１０が各投写装置３０に出力する光量の合計が光源１０の最大光量を超えることがなく、また、光源１０が出力可能な光量を最大限に利用することができる。このため、光源１０から出力される光を第１の実施形態に係る画像処理システムよりも効率的に利用することができる。
【００５９】
〔第４の実施形態〕
（制御装置）
第４の実施形態に係る制御装置５０Ｄの機能構成の一例について説明する。第４の実施形態に係る制御装置５０Ｄは、第３の実施形態に係る制御装置５０Ｃと同様とすることができる。
【００６０】
（画像投写処理）
第４の実施形態に係る画像投写処理について説明する。図１０は、第４の実施形態に係る画像投写処理の一例を説明するためのフローチャートである。以下では、投写場所ａにおいて画像を投写する場合を例に挙げて説明するが、投写場所ｂ及び投写場所ｃにおいて画像を投写する場合についても同様の処理を行うことができる。
【００６１】
最初に、照度取得部５１は、投写装置３０ａから光の供給の指示を受け付けると、すべての照度センサ４０（４０ａ、４０ｂ、４０ｃ）が検出した照度データを取得する（ステップＳ４１）。光の供給の指示は、例えば投写装置３０ａを使用するユーザにより行われる。
【００６２】
続いて、光量算出部５２は、照度取得部５１が取得した照度データに基づいて、光源１０からすべての投写装置３０（３０ａ、３０ｂ、３０ｃ）に出力する最適な光量を算出する（ステップＳ４２）。具体的には、光量算出部５２は、例えば照度取得部５１が取得した照度データと、記憶部５４に記憶された光量算出テーブルとに基づいて、光源１０がすべての投写装置３０（３０ａ、３０ｂ、３０ｃ）に出力する最適な光量を算出する。
【００６３】
続いて、光量判定部５６は、各投写装置３０ａ、３０ｂ、３０ｃに出力する最適な光量の合計である全光量を算出する（ステップＳ４３）。
【００６４】
続いて、光量判定部５６は、ステップＳ４３で算出された全光量が記憶部５４に記憶された光源１０の最大光量以下であるか否かを判定する（ステップＳ４４）。
【００６５】
ステップＳ４４において、ステップＳ４３で算出された全光量が記憶部５４に記憶された光源１０の最大光量以下であると判定された場合、光源制御部５３は、光量算出部５２により算出された投写装置３０ａに出力する最適な光量が出力されるように光源１０を制御し（ステップＳ４５）、処理を終了する。
【００６６】
ステップＳ４４において、ステップＳ４３で算出された全光量が記憶部５４に記憶された光源１０の最大光量よりも大きいと判定された場合、光量算出部５２は、照度センサ４０ａ、４０ｂ、４０ｃが検出した照度データに基づいて、投写装置３０ａ、３０ｂ、３０ｃに出力する光量を再度算出し（ステップＳ４６）、ステップＳ４５へ進む。光量の再度算出は、第３の実施形態と同様の方法を用いることができる。
【００６７】
このように、第４の実施形態では、複数の投写装置３０のうちのいずれか１つの投写装置３０から光の供給の指示を受けた場合、光量算出部５２が予めすべての投写場所に設置された照度センサ４０が検出した照度データに基づいて、光源１０の最大光量を超えないように各投写装置３０に出力する光量を算出し、その後、光源１０から光の供給の指示を受けた投写装置３０に光が出力される。これにより、光源１０が各投写装置３０に出力する光量の合計が光源１０の最大光量を超えることがなく、また、光源１０が出力可能な光量を最大限に利用することができる。このため、光源１０から出力される光を第１の実施形態に係る画像処理システムよりも効率的に利用することができる。さらに、投写装置３０が画像を投写している途中で、画像の明るさが大きく変動することが防止される。
【００６８】
なお、上記の各実施形態において、光伝送ケーブル２０は光伝送手段の一例であり、投写装置３０は投写出力手段の一例であり、照度センサ４０は照度検出手段の一例であり、制御装置５０は制御手段の一例である。
【００６９】
以上、本発明の実施形態について説明したが、上記内容は、発明の内容を限定するものではなく、本発明の範囲内で種々の変形及び改良が可能である。
【符号の説明】
【００７０】
１    画像投写システム
１０  光源
２０  光伝送ケーブル
３０  投写装置
４０  照度センサ
５０  制御装置
５１  照度取得部
５２  光量算出部
５３  光源制御部
５４  記憶部
５５  投写制御部
５６  光量判定部
６０  通信ケーブル
【先行技術文献】
【特許文献】
【００７１】
【特許文献１】特表２０１２−５２９２２２号公報
【図１】
2018011248.tif 000003
【図２】
2018011248.tif 000004
【図３】
2018011248.tif 000005
【図４】
2018011248.tif 000006
【図５】
2018011248.tif 000007
【図６】
2018011248.tif 000008
【図７】
2018011248.tif 000009
【図８】
2018011248.tif 000010
【図９】
2018011248.tif 000011
【図１０】
2018011248.tif 000012